(57)【要約】【課題】現像カートリッジの仕様を特定するための新たなギヤ構造を有する現像カートリッジを提供する。【解決手段】現像カートリッジは、第１ギヤ（第２アジテータギヤ１００）と、第１ギヤと係合したときに第１ギヤとともに第１位置から第２位置へ回転可能な第２ギヤ（検知ギヤ２００）と、第２ギヤとともに移動可能であり、第２ギヤの径方向に延びる弾性部材２８０と、カバー（第２ギヤカバー３１）とを備える。弾性部材２８０の一端部２８１は、第２ギヤと接続する。第２ギヤが第１位置の場合、弾性部材２８０の他端部２８２がカバーと接触した状態で、一端部２８１に対して、第２ギヤの回転方向の反対方向に曲がる。第２ギヤが第２位置の場合、弾性部材２８０の他端部２８２とカバーとの接触が解除され、弾性部材２８０の弾性力により、弾性部材２８０の他端部２８２が、第２ギヤの回転方向に移動する。【選択図】図１２
2018169533.tif 000002
【特許請求の範囲】
【請求項１】
現像剤を内部に収容可能な筐体と、
第１方向に延びる第１軸について回転可能な第１ギヤであって、前記筐体の外表面に位置する第１ギヤと、
前記第１方向に延びる第２軸について回転可能であり、前記外表面に位置する第２ギヤであって、前記第１ギヤと係合したときに前記第１ギヤとともに第１位置から第２位置へ回転可能な第２ギヤと、
前記第２ギヤとともに移動可能であり、前記第２ギヤの径方向に延びる弾性部材と、
前記外表面に位置するカバーとを備え、
前記径方向における前記弾性部材の一端部が前記第２ギヤと接続し、
前記第２ギヤが前記第１位置の場合、前記径方向における前記弾性部材の他端部が前記カバーと接触した状態で、前記他端部が、前記一端部に対して、前記第２ギヤの回転方向の反対方向に曲がり、
前記第２ギヤが前記第２位置の場合、前記弾性部材の前記他端部と前記カバーとの接触が解除され、前記弾性部材の弾性力により、前記弾性部材の前記他端部が、前記第２ギヤの回転方向に移動することを特徴とする現像カートリッジ。
【請求項２】
前記カバーは、開口を有し、
前記カバーは、少なくとも前記弾性部材の一部を覆い、
前記第２ギヤが前記第２位置の場合、前記弾性部材の前記他端部は、前記開口から露出されることを特徴とする請求項１に記載の現像カートリッジ。
【請求項３】
前記第２ギヤは、前記第２ギヤの周囲の一部に設けられた複数のギヤ歯を備え、
前記第２ギヤは、前記複数のギヤ歯のいずれもが前記第１ギヤと係合しない非係合位置から、前記複数のギヤ歯の少なくとも１つが前記第１ギヤと係合する係合位置へ回転可能であることを特徴とする請求項１または請求項２に記載の現像カートリッジ。
【請求項４】
前記第２ギヤは、前記第２ギヤの周囲に設けられた摩擦部材を備え、
前記第２ギヤは、前記摩擦部材が前記第１ギヤと係合しない非係合位置から、前記摩擦部材が前記第１ギヤと係合する係合位置へ回転可能であることを特徴とする請求項１または請求項２に記載の現像カートリッジ。
【請求項５】
前記摩擦部材は、ゴムであることを特徴とする請求項４に記載の現像カートリッジ。
【請求項６】
前記弾性部材は、前記第１方向に延びることを特徴とする請求項１から請求項５のいずれか１項に記載の現像カートリッジ。
【請求項７】
前記弾性部材は、前記第２ギヤとともに回転可能であることを特徴とする請求項１から請求項６のいずれか１項に記載の現像カートリッジ。
【請求項８】
前記第２ギヤは、前記弾性部材を含むことを特徴とする請求項１から請求項７のいずれか１項に記載の現像カートリッジ。
【請求項９】
前記第１方向に延び、前記弾性部材から前記第２ギヤの回転方向に離れた第１突起をさらに備え、
前記第１突起は、前記第２ギヤとともに移動可能であることを特徴とする請求項１から請求項８のいずれか１項に記載の現像カートリッジ。
【請求項１０】
前記カバーは、開口を有し、
前記カバーは、少なくとも前記弾性部材の一部を覆い、
前記第１突起は、前記第２ギヤが前記第１位置の場合、前記開口から露出されることを特徴とする請求項９に記載の現像カートリッジ。
【請求項１１】
前記現像カートリッジが画像形成装置に装着された状態で、前記第１突起は、前記第２ギヤが前記第１位置の場合、前記画像形成装置の一部に接触することを特徴とする請求項１０に記載の現像カートリッジ。
【請求項１２】
前記第１突起は、前記第２ギヤとともに回転可能であることを特徴とする請求項９から請求項１１のいずれか１項に記載の現像カートリッジ。
【請求項１３】
前記第２ギヤは、前記第１突起を含むことを特徴とする請求項９から請求項１２のいずれか１項に記載の現像カートリッジ。
【請求項１４】
前記弾性部材の前記他端部は、前記第２ギヤの径方向において、前記径方向における前記第１突起の先端よりも前記第２軸から遠いことを特徴とする請求項９から請求項１３のいずれか１項に記載の現像カートリッジ。
【請求項１５】
前記第１方向に延びる第３軸について回転可能なカップリングであって、前記第１方向における前記筐体の一方側に位置するカップリングと、
前記第１軸について前記カップリングとともに回転可能なシャフトとをさらに備え、
前記第１ギヤは、前記第１方向における前記筐体の他方側に位置し、
前記第１ギヤは、前記シャフトとともに回転可能であることを特徴とする請求項１から請求項１４のいずれか１項に記載の現像カートリッジ。
【請求項１６】
前記第１ギヤは、前記シャフトに装着されることを特徴とする請求項１５に記載の現像カートリッジ。
【請求項１７】
前記第１方向に延びる第４軸について回転可能な現像ローラをさらに備えることを特徴とする請求項１から請求項１６のいずれか１項に記載の現像カートリッジ。
【請求項１８】
前記現像剤を攪拌可能なアジテータであって、前記シャフトを含むアジテータをさらに備えることを特徴とする請求項１５または請求項１６に記載の現像カートリッジ。
【請求項１９】
前記現像カートリッジが画像形成装置に装着された状態で、前記弾性部材の前記他端部は、前記第２ギヤが前記第２位置の場合、前記画像形成装置の一部に接触することを特徴とする請求項１から請求項１８のいずれか１項に記載の現像カートリッジ。
【発明の詳細な説明】
【技術分野】
【０００１】
本発明は、画像形成装置に用いる現像カートリッジに関する。
【背景技術】
【０００２】
現像カートリッジを備える画像形成装置において、現像カートリッジの装着の有無または現像カートリッジの仕様を判定可能な画像形成装置が知られている。例えば、特許文献１には、検知ギヤが回転すると共に突起が移動する現像カートリッジが開示されている。画像形成装置は、突起をセンサで検出して、現像カートリッジが装着されているか否かを検知する。
【先行技術文献】
【特許文献】
【０００３】
【特許文献１】特開２０１１−２０３３６２号公報
【発明の概要】
【発明が解決しようとする課題】
【０００４】
ところで、突起を検知することで現像カートリッジの仕様を判定する場合、複数の仕様それぞれについて、突起の配置パターンを異ならせている。これにより、画像形成装置は、複数の仕様の中で特定の仕様を有する現像カートリッジを判別することが可能である。近年、現像カートリッジの仕様の多様化に対して、新たなギヤ構造が望まれている。
【０００５】
そこで、本発明は、現像カートリッジの仕様を特定するための新たなギヤ構造を有する現像カートリッジを提供することを目的とする。
【課題を解決するための手段】
【０００６】
前記した目的を達成するため、本開示の現像カートリッジは、現像剤を内部に収容可能な筐体と、第１方向に延びる第１軸について回転可能な第１ギヤであって、筐体の外表面に位置する第１ギヤと、第１方向に延びる第２軸について回転可能であり、外表面に位置する第２ギヤであって、第１ギヤと係合したときに第１ギヤとともに第１位置から第２位置へ回転可能な第２ギヤと、第２ギヤとともに移動可能であり、第２ギヤの径方向に延びる弾性部材と、外表面に位置するカバーとを備える。
径方向における弾性部材の一端部は、第２ギヤと接続する。
第２ギヤが第１位置の場合、径方向における弾性部材の他端部がカバーと接触した状態で、他端部が、一端部に対して、第２ギヤの回転方向の反対方向に曲がる。
第２ギヤが第２位置の場合、弾性部材の他端部とカバーとの接触が解除され、弾性部材の弾性力により、弾性部材の他端部が、第２ギヤの回転方向に移動する。
【０００７】
このような構成によれば、現像カートリッジの仕様を特定するための新たなギヤ構造を有する現像カートリッジを提供することができる。第２ギヤが第１位置から第２位置へ回転したときには、第２ギヤの回転方向の反対方向に曲がっていた弾性部材の他端部が、第２ギヤの回転方向に移動するので、ギヤ構造にギヤの回転とは異なる動きを持たせることができる。これにより、現像カートリッジの仕様の多様化に対応させて、ギヤ構造の動きの多様化が可能になる。
【０００８】
前記した現像カートリッジにおいて、カバーは、開口を有し、カバーは、少なくとも弾性部材の一部を覆い、第２ギヤが第２位置の場合、弾性部材の他端部は、開口から露出される構成とすることができる。
【０００９】
前記した現像カートリッジにおいて、第２ギヤは、第２ギヤの周囲の一部に設けられた複数のギヤ歯を備え、第２ギヤは、複数のギヤ歯のいずれもが第１ギヤと係合しない非係合位置から、複数のギヤ歯の少なくとも１つが第１ギヤと係合する係合位置へ回転可能である構成とすることができる。
【００１０】
これによれば、第２ギヤが非係合位置から係合位置へ回転するまでは、第２ギヤが回転しない構成を実現できる。これにより、ギヤ構造の動きの多様化が可能になる。
【００１１】
前記した現像カートリッジにおいて、第２ギヤは、第２ギヤの周囲に設けられた摩擦部材を備え、第２ギヤは、摩擦部材が第１ギヤと係合しない非係合位置から、摩擦部材が第１ギヤと係合する係合位置へ回転可能である構成とすることができる
【００１２】
これによれば、第２ギヤが非係合位置から係合位置へ回転するまでは、第２ギヤが回転しない構成を実現できる。これにより、ギヤ構造の動きの多様化が可能になる。
【００１３】
前記した現像カートリッジにおいて、摩擦部材は、ゴムである構成とすることができる。
【００１４】
前記した現像カートリッジにおいて、弾性部材は、第１方向に延びる構成とすることができる。
【００１５】
前記した現像カートリッジにおいて、弾性部材は、第２ギヤとともに回転可能である構成とすることができる。
【００１６】
前記した現像カートリッジにおいて、第２ギヤは、弾性部材を含む構成とすることができる。
【００１７】
前記した現像カートリッジは、第１方向に延び、弾性部材から第２ギヤの回転方向に離れた第１突起をさらに備え、第１突起は、第２ギヤとともに移動可能である構成とすることができる。
【００１８】
前記した現像カートリッジにおいて、カバーは、開口を有し、カバーは、少なくとも弾性部材の一部を覆い、第１突起は、第２ギヤが第１位置の場合、開口から露出される構成とすることができる。
【００１９】
前記した現像カートリッジにおいて、現像カートリッジが画像形成装置に装着された状態で、第１突起は、第２ギヤが第１位置の場合、画像形成装置の一部に接触する構成とすることができる。
【００２０】
前記した現像カートリッジにおいて、第１突起は、第２ギヤとともに回転可能である構成とすることができる。
【００２１】
前記した現像カートリッジにおいて、第２ギヤは、第１突起を含む構成とすることができる。
【００２２】
前記した現像カートリッジにおいて、弾性部材の他端部は、第２ギヤの径方向において、径方向における第１突起の先端よりも第２軸から遠い構成とすることができる。
【００２３】
前記した現像カートリッジは、第１方向に延びる第３軸について回転可能なカップリングであって、第１方向における筐体の一方側に位置するカップリングと、第１軸についてカップリングとともに回転可能なシャフトとをさらに備え、第１ギヤは、第１方向における筐体の他方側に位置し、第１ギヤは、シャフトとともに回転可能である構成とすることができる。
【００２４】
前記した現像カートリッジにおいて、第１ギヤは、シャフトに装着される構成とすることができる。
【００２５】
前記した現像カートリッジは、第１方向に延びる第４軸について回転可能な現像ローラをさらに備える構成とすることができる。
【００２６】
前記した現像カートリッジは、現像剤を攪拌可能なアジテータであって、シャフトを含むアジテータをさらに備える構成とすることができる。
【００２７】
前記した現像カートリッジにおいて、現像カートリッジが画像形成装置に装着された状態で、弾性部材の他端部は、第２ギヤが第２位置の場合、画像形成装置の一部に接触する構成とすることができる。
【発明の効果】
【００２８】
本発明によれば、現像カートリッジの仕様を特定するための新たなギヤ構造を有する現像カートリッジを提供することができる。
【図面の簡単な説明】
【００２９】
【図１】本開示の実施形態の現像カートリッジを備えるプリンタの概略構成を示す図である。
【図２】現像カートリッジの筐体の構成を示す断面図である。
【図３】現像カートリッジの第１方向の一方側を示す斜視図である。
【図４】筐体の第１方向の一方側の部品を分解して示す斜視図である。
【図５】現像カートリッジの第１方向の他方側を示す斜視図である。
【図６】筐体の第１方向の他方側の部品を分解して示す斜視図である。
【図７】第２ギヤカバーを内側から見た斜視図である。
【図８】第２アジテータギヤの拡大斜視図（ａ）と、軸方向から見た図（ｂ）と、検知ギヤの拡大斜視図（ｃ）である。
【図９】初期位置にある第２アジテータギヤおよび検知ギヤを内側から見た図（ａ）と、外側から見た図（ｂ）である。
【図１０】第２リブが第１リブの切れ目に入るときの第２アジテータギヤおよび検知ギヤを内側から見た図（ａ）と、第２リブが第１リブと非接触になって第１ギヤが第２ギヤに係合し始めたときの第２アジテータギヤおよび検知ギヤを内側から見た図（ｂ）である。
【図１１】検知ギヤの回転に伴うレバーの変化を示す図（ａ）〜（ｃ）である。
【図１２】弾性部材と第２ギヤカバーの接触が解除されたときの検知ギヤと第２アジテータギヤを内側から見た図（ａ）と、外側から見た図（ｂ）である。
【図１３】最終位置にある検知ギヤと第２アジテータギヤを内側から見た図（ａ）と、外側から見た図（ｂ）である。
【図１４】第２アジテータギヤおよび変形例に係る検知ギヤを内側から見た図（ａ），（ｂ）である。
【発明を実施するための形態】
【００３０】
次に、本開示の実施形態について、図面を参照しながら詳細に説明する。
【００３１】
図１に示すように、画像形成装置の一例としてのレーザプリンタ１は、本体筐体２と、給紙部３と、画像形成部４と、制御装置ＣＵを主に備える。
【００３２】
本体筐体２は、フロントカバー２Ａと、本体筐体２の上部に位置する排紙トレイ２Ｂとを有している。本体筐体２は、内部に給紙部３、画像形成部４を備える。フロントカバー２Ａを開くことで、現像カートリッジ１０が着脱可能に装着される。
【００３３】
給紙部３は、用紙Ｓを収容している。そして、給紙部３は、画像形成部４に用紙Ｓを１枚ずつ供給する。
【００３４】
画像形成部４は、プロセスカートリッジ４Ａと、図示省略した露光装置と、転写ローラ４Ｂと、定着器４Ｃとを含む。
【００３５】
プロセスカートリッジ４Ａは、感光体カートリッジ５と、現像カートリッジ１０とを含む。現像カートリッジ１０は、感光体カートリッジ５に対して着脱可能である。なお、現像カートリッジ１０は、現像カートリッジ１０が感光体カートリッジ５に装着された状態で、プロセスカートリッジ４Ａとして、レーザプリンタ１に着脱される。感光体カートリッジ５は、フレーム５Ａと、フレーム５Ａに回転可能に支持された感光体ドラム５Ｂとを備える。
【００３６】
図２に示すように、現像カートリッジ１０は、筐体１１と、現像ローラ１２と、供給ローラ１３と、アジテータ１４とを備える。
【００３７】
筐体１１は、容器１１Ａと、蓋１１Ｂとを含む。筐体１１の容器１１Ａには内部にトナーＴを収容可能である。なお、トナーＴは、現像剤の一例である。
【００３８】
現像ローラ１２は、第１方向に延びる現像ローラシャフト１２Ａと、ローラ部１２Ｂとを含む。なお、第１方向は、後述する第２アジテータギヤ１００の軸方向であり、以下、単に軸方向ともいう。ローラ部１２Ｂは、現像ローラシャフト１２Ａの外周面を覆う。ローラ部１２Ｂは、導電性のゴムなどからなる。現像ローラ１２は、現像ローラシャフト１２Ａを中心に回転可能である。他の言い方をすれば、現像ローラ１２は、第１方向に延びる第４軸１２Ｘについて回転可能である。現像ローラ１２は、現像ローラシャフト１２Ａを中心に回転可能に筐体１１に支持されている。つまり、ローラ部１２Ｂは、現像ローラシャフト１２Ａとともに回転可能である。現像ローラ１２は、制御装置ＣＵから現像バイアスが印加される。
【００３９】
筐体１１の容器１１Ａと蓋１１Ｂとは、第２方向において互いに向かい合っている。第２方向は、第１方向に交差する方向である。好ましくは、第２方向は、第１方向と直交する。現像ローラ１２は、第３方向における筐体１１の一端部に位置する。第３方向は、第１方向および第２方向に交差する。好ましくは、第３方向は、第１方向および第２方向と直交する。
【００４０】
供給ローラ１３は、第１方向に延びる供給ローラシャフト１３Ａと、ローラ部１３Ｂとを含む。ローラ部１３Ｂは、供給ローラシャフト１３Ａの外周面を覆う。ローラ部１３Ｂは、スポンジなどからなる。供給ローラ１３は、供給ローラシャフト１３Ａを中心に回転可能である。つまり、ローラ部１３Ｂは、供給ローラシャフト１３Ａとともに回転可能である。
【００４１】
アジテータ１４は、アジテータシャフト１４Ａと、可撓性シート１４Ｂとを含む。なお、アジテータシャフト１４Ａは、シャフトの一例である。アジテータシャフト１４Ａは、第１方向に延びる第１軸１４Ｘについて回転可能である。アジテータシャフト１４Ａは、第１軸１４Ｘについて回転可能に筐体１１に支持されている。アジテータ１４は、後述するカップリング２２とともに回転可能である。可撓性シート１４Ｂは、基端がアジテータシャフト１４Ａに固定され、先端が筐体１１の内面と接触可能に構成されている。アジテータ１４は、回転する可撓性シート１４ＢによりトナーＴを撹拌可能である。
【００４２】
また、図１に示すように、転写ローラ４Ｂは、感光体ドラム５Ｂと向かい合う。転写ローラ４Ｂは、感光体ドラム５Ｂとの間で用紙Ｓを挟みながら搬送する。
【００４３】
感光体ドラム５Ｂは、図示しない帯電器により帯電され、露光装置に露光されることで静電潜像が形成される。現像カートリッジ１０は、この静電潜像にトナーＴを供給して感光体ドラム５Ｂ上にトナー像を形成する。給紙部３から供給された用紙Ｓは、感光体ドラム５Ｂと転写ローラ４Ｂの間を通りながら感光体ドラム５Ｂ上のトナー像が転写される。
【００４４】
定着器４Ｃは、用紙Ｓに転写されたトナー像を、用紙Ｓに熱定着する。トナー像が熱定着された用紙Ｓは、本体筐体２の外の排紙トレイ２Ｂに排出される。
【００４５】
制御装置ＣＵは、レーザプリンタ１全体の動作を制御する装置である。
【００４６】
レーザプリンタ１は、センサ７を備える。センサ７は、現像カートリッジ１０が新品であるか否か、または、現像カートリッジ１０の仕様を検知するためのセンサである。センサ７は、本体筐体２に揺動可能に支持されたレバー７Ａと、光センサ７Ｂとを備える。レバー７Ａは、後述する検知ギヤ２００とともに回転可能な突起などと接触可能な位置に位置している。光センサ７Ｂは、制御装置ＣＵと接続され、検出信号を制御装置ＣＵに出力する。制御装置ＣＵは、光センサ７Ｂから受ける信号に応じて現像カートリッジ１０の仕様等を判別可能に構成されている。光センサ７Ｂは、レバー７Ａの変位を検出し、検出信号を制御装置ＣＵへ送信する。より詳細には、光センサ７Ｂには、例えば、投光部と受光部とを含むセンサユニットが用いられる。詳細については、後述する。
【００４７】
次に、現像カートリッジ１０の詳細構成について説明する。
図３および図４に示すように、現像カートリッジ１０は、筐体１１の第１方向における一方側に、第１ギヤカバー２１と、カップリング２２と、現像ギヤ２３と、供給ギヤ２４と、第１アジテータギヤ２５と、アイドルギヤ２６と、第１軸受部材２７と、キャップ２８とを備えている。
【００４８】
第１ギヤカバー２１は、アイドルギヤ２６を図示しないシャフトにより支持するとともに、筐体１１の一方側に位置する少なくとも１つのギヤを覆うカバーである。第１ギヤカバー２１は、スクリュー２９により外表面１１Ｃに固定される。外表面１１Ｃは、筐体１１の第１方向における一方側の外表面１１Ｃである。
なお、本明細書において、「ギヤ」は、ギヤ歯を有してギヤ歯によって回転力を伝達するものに限られず、摩擦伝達によって回転力を伝達するものを含む。また、摩擦伝達によって回転力を伝達する部材においては、歯先円は、摩擦伝達面を通る円とする。
【００４９】
カップリング２２は、第１方向に延びる第３軸２２Ａについて回転可能である。カップリング２２は、第１方向における筐体１１の一方側に位置する。つまり、カップリング２２は、外表面１１Ｃに位置する。カップリング２２は、駆動力を受けることにより回転可能である。詳細には、カップリング２２は、レーザプリンタ１から駆動力を受けることができる。カップリング２２は、図示しないレーザプリンタ１が含む駆動部材と係合することで回転可能である。なお、カップリング２２は、第１方向に凹む凹部を有する。凹部は、駆動部材を受け、駆動部材と係合可能である。より詳細には、凹部は、レーザプリンタ１の駆動部材と係合し駆動力を受けることができる。
【００５０】
現像ギヤ２３は、現像ローラシャフト１２Ａに装着され、カップリング２２とともに回転可能である。現像ギヤ２３は、第１方向における筐体１１の一方側に位置する。つまり、現像ギヤ２３は、外表面１１Ｃに位置する。
【００５１】
供給ギヤ２４は、供給ローラシャフト１３Ａに装着され、カップリング２２とともに回転可能である。供給ギヤ２４は、第１方向における筐体１１の一方側に位置する。つまり、供給ギヤ２４は、外表面１１Ｃに位置する。
【００５２】
第１アジテータギヤ２５は、第１方向における筐体１１の一方側に位置する。つまり、第１アジテータギヤ２５は、外表面１１Ｃに位置する。第１アジテータギヤ２５は、アジテータ１４のアジテータシャフト１４Ａに装着されている。第１アジテータギヤ２５は、カップリング２２の回転に従ってアジテータ１４とともに回転可能である。
【００５３】
アイドルギヤ２６は、第１方向における筐体１１の一方側に位置する。つまり、アイドルギヤ２６は、外表面１１Ｃに位置する。アイドルギヤ２６は、カップリング２２のギヤ歯と係合する大径部２６Ａと、第１アジテータギヤ２５のギヤ歯と係合する小径部２６Ｂとを含む。アイドルギヤ２６は、第１ギヤカバー２１の図示しないシャフトによって回転可能に支持されている。アイドルギヤ２６は、カップリング２２の回転を減速して第１アジテータギヤ２５に伝達する。なお、第１方向において、大径部２６Ａは、小径部２６Ｂよりも筐体１１から離れている。
【００５４】
第１軸受部材２７は、カップリング２２、現像ギヤ２３および供給ギヤ２４を軸支する部材である。第１軸受部材２７は、筐体１１の第１方向における一方側に固定されている。
【００５５】
キャップ２８は、現像ローラシャフト１２Ａの第１方向における一方側の端部を覆っている。なお、第１ギヤカバー２１と、キャップ２８とは、異なる種類の樹脂により作られてもよい。
【００５６】
図５および図６に示すように、現像カートリッジ１０は、筐体１１の第１方向における他方側に、カバーの一例としての第２ギヤカバー３１と、第１ギヤの一例としての第２アジテータギヤ１００と、第２ギヤの一例としての検知ギヤ２００と、第２軸受部材３４と、現像電極３５と、供給電極３６とを備える。
【００５７】
第２ギヤカバー３１は、検知ギヤ２００の少なくとも一部を覆うカバーである。第２ギヤカバー３１は、筐体１１の容器１１Ａの第１方向における他方側の外表面１１Ｅに位置する。第２ギヤカバー３１は、開口３１Ａを有する。開口３１Ａにより、検知ギヤ２００の一部が露出される。また、第２ギヤカバー３１は、第１方向に延びるシャフト３１Ｂを含む。また、第２ギヤカバー３１は、シャフト３１Ｂから径方向外側に突出する係止突起３１Ｃ（図７参照）を有する。また、第２ギヤカバー３１は、接触面３１Ｄを有する。接触面３１Ｄは、後述する弾性部材２８０の先端と接触する。接触面３１Ｄは、検知ギヤ２００の周囲の一部に沿って延びている。接触面３１Ｄは、軸方向において開口３１Ａと略同じ位置に位置する。さらに、第２ギヤカバー３１は、トーションスプリング３７を備える。トーションスプリング３７の詳細は後述する。
【００５８】
第２アジテータギヤ１００は、第１方向における筐体１１の他方側に位置する。つまり、第２アジテータギヤ１００は、筐体１１の容器１１Ａの第１方向における他方側の外表面１１Ｅに位置する。第２アジテータギヤ１００は、装着穴１４０を有する。第２アジテータギヤ１００は、装着穴１４０がアジテータ１４のアジテータシャフト１４Ａに係合することでアジテータシャフト１４Ａに装着される。これにより、第２アジテータギヤ１００は、アジテータ１４のアジテータシャフト１４Ａとともに、軸方向に延びる第１軸１４Ｘについて回転可能である。つまり、第２アジテータギヤ１００は、筐体１１に回転可能に支持されている。
【００５９】
図８（ａ），（ｂ）に示すように、第２アジテータギヤ１００は、第１ギヤ部１１０と、第１リブ１２０とを含む。
【００６０】
第１ギヤ部１１０は、複数のギヤ歯１１１を含む。一例として、第１ギヤ部１１０は、第２アジテータギヤ１００の周囲の全周に渡ってギヤ歯１１１を有する。
【００６１】
第１リブ１２０は、第１ギヤ部１１０の歯先円１１０Ａに沿って延びる。具体的には、第１リブ１２０は、歯先円１１０Ａの一部に沿って延びている。また、第１リブ１２０は、第２アジテータギヤ１００の周囲の一部に沿って延びている。つまり、第１リブ１２０は、周方向において切れ目１２５を有している。切れ目１２５は、後述する第２リブ２３０が入り込むことが可能である。切れ目１２５は、第１軸１４Ｘまわりの中心角αが１５〜７５°の範囲にあることができる。望ましくは、中心角αは、３０〜６０°であり、より望ましくは、４０〜５０°である。第１リブ１２０は、第１軸１４Ｘまわりの中心角βが２８５〜３４５°の範囲にあることができる。望ましくは、中心角βは、３００〜３３０°であり、より望ましくは、３１０〜３２０°である。
【００６２】
第１リブ１２０は、第１ギヤ部１１０よりも第２アジテータギヤ１００の径方向において第１軸１４Ｘから遠い。第１リブ１２０は、第１ギヤ部１１０とともに第１軸１４Ｘについて回転可能である。第１リブ１２０は、軸方向において第１ギヤ部１１０と異なる位置に位置する。具体的には、第１リブ１２０は、軸方向において、第１ギヤ部１１０よりも、筐体１１に近い（図６参照）。
【００６３】
図６に示すように、検知ギヤ２００は、第１方向における筐体１１の他方側に位置する。つまり、検知ギヤ２００は、外表面１１Ｅに位置する。検知ギヤ２００は、軸方向に延びる第２軸２００Ｘについて回転可能である。検知ギヤ２００は、第２アジテータギヤ１００と係合したときに第２アジテータギヤ１００とともに回転可能である。検知ギヤ２００は、筒部２１５を有する。筒部２１５は、穴２１０を有する。第２ギヤカバー３１のシャフト３１Ｂは穴２１０に挿入されており、検知ギヤ２００はシャフト３１Ｂの周りで回転可能である。また、シャフト３１Ｂの先端は、筐体１１の蓋１１Ｂにおける第１方向の他方側の側壁１１Ｄが有する支持孔１１Ｆに挿入されて支持されている。
【００６４】
検知ギヤ２００は、軸方向に交差する方向に延びる円板部２０５を有する。好ましくは、検知ギヤ２００は、軸方向に直交する方向に延びる円板部２０５を有する。
図８（ｃ）に示すように、検知ギヤ２００は、円板部２０５の第１方向における一方側に、第２ギヤ部２２０と、第２リブ２３０と、第１バネ係合部２５１と、第３バネ係合部２５３とを有する。
【００６５】
第２ギヤ部２２０は、複数のギヤ歯２２１を含む。第２ギヤ部２２０は、検知ギヤ２００の周囲の一部に設けられている。また、検知ギヤ２００は、第２ギヤ部２２０と軸方向において同じ位置における周囲の他部に、欠歯部２２１Ｂを含む。欠歯部２２１Ｂは、ギヤ歯２２１が無い部分である。
【００６６】
第２リブ２３０は、筒部２１５から検知ギヤ２００の径方向に突出している。また、第２リブ２３０は、円板部２０５から軸方向に突出している。第２リブ２３０は、板形状を有する。第２リブ２３０は、軸方向において第２ギヤ部２２０と異なる位置に位置する。具体的には、第２リブ２３０は、軸方向において第２ギヤ部２２０よりも筐体１１に近い。また、第２リブ２３０は、第２ギヤ部２２０よりも、検知ギヤ２００の径方向において第２軸２００Ｘに近い。
【００６７】
第１バネ係合部２５１および第３バネ係合部２５３は、筒部２１５から検知ギヤ２００の径方向外側に突出している。また、第１バネ係合部２５１および第３バネ係合部２５３は、円板部２０５から軸方向に突出している。第１バネ係合部２５１および第３バネ係合部２５３は、板形状を有する。第１バネ係合部２５１および第３バネ係合部２５３は、トーションスプリング３７と係合することで、トーションスプリング３７からの力を受ける部分である。第１バネ係合部２５１および第３バネ係合部２５３は、検知ギヤ２００の回転方向において互いに離れて位置している。
【００６８】
図６に示すように、検知ギヤ２００は、円板部２０５の第１方向における他方側に、第１突起２６１と、弾性部材２８０と、第３突起２６３と、第４突起２７０とを有する。
【００６９】
第１突起２６１は、軸方向に突出している。また、第１突起２６１は、検知ギヤ２００の径方向に突出している。より詳細には、第１突起２６１は、円板部２０５から軸方向に突出している。つまり、第１突起２６１は、第１方向に延びている。また、第１突起２６１は、筒部２１５から検知ギヤ２００の径方向外側に突出している。第１突起２６１は、検知ギヤ２００とともに移動可能である。好ましくは、第１突起２６１は、検知ギヤ２００とともに回転可能である。つまり、検知ギヤ２００は、第１突起２６１を含む。さらに言えば、第１突起２６１は、検知ギヤ２００と一体に形成されている。なお、第１突起２６１と検知ギヤ２００とは、別部品であってもよい。
【００７０】
弾性部材２８０は、検知ギヤ２００の径方向に延びている。また、弾性部材２８０は、軸方向に延びている。弾性部材２８０は、板形状を有する。検知ギヤ２００の径方向における弾性部材２８０の一端部２８１は、検知ギヤ２００と接続している。より詳細には、弾性部材２８０の一端部２８１は、筒部２１５の外周面に固定されている。検知ギヤ２００の径方向における弾性部材２８０の他端部２８２は、固定されていない。弾性部材２８０は、弾性変形可能である。より詳細には、弾性部材２８０は、他端部２８２が、一端部２８１に対して、検知ギヤ２００の周方向に弾性的に曲がることができる。弾性部材２８０は、例えば、ゴムからなる。
【００７１】
弾性部材２８０は、第１突起２６１から検知ギヤ２００の回転方向に離れて位置している。弾性部材２８０は、検知ギヤ２００とともに移動可能である。好ましくは、弾性部材２８０は、検知ギヤ２００とともに回転可能である。つまり、検知ギヤ２００は、弾性部材２８０を含む。さらに言えば、弾性部材２８０は、検知ギヤ２００と一体に形成されている。弾性部材２８０の他端部２８２の先端は、検知ギヤ２００の径方向において、検知ギヤ２００の径方向における第１突起２６１の先端よりも第２軸２００Ｘから遠い。より詳細には、弾性部材２８０の他端部２８２は、検知ギヤ２００の径方向において、円板部２０５の外周面よりも外側まで延びている。
【００７２】
第３突起２６３は、軸方向に突出している。また、第３突起２６３は、検知ギヤ２００の径方向に突出している。より詳細には、第３突起２６３は、円板部２０５から軸方向に突出している。また、第３突起２６３は、筒部２１５から検知ギヤ２００の径方向外側に突出している。第３突起２６３は、第１突起２６１および弾性部材２８０から検知ギヤ２００の回転方向に離れて位置している。第３突起２６３は、検知ギヤ２００とともに移動可能である。好ましくは、第３突起２６３は、検知ギヤ２００とともに回転可能である。つまり、検知ギヤ２００は、第３突起２６３を含む。さらに言えば、第３突起２６３は、検知ギヤ２００と一体に形成されている。なお、第３突起２６３と検知ギヤ２００とは、別部品であってもよい。
【００７３】
第１突起２６１、弾性部材２８０および第３突起２６３は、検知ギヤ２００の径方向においてレバー７Ａと接触可能な位置に位置している。第１突起２６１、第３突起２６３および弾性部材２８０は、図６の反時計回りにこの順に並んでいる。第１突起２６１および第３突起２６３の各先端は、回転方向において所定長さを有する。第３突起２６３の先端は、回転方向における長さが第１突起２６１よりも長い。
【００７４】
第４突起２７０は、円板部２０５および筒部２１５から軸方向に突出している。また、第４突起２７０は、筒部２１５から検知ギヤ２００の径方向外側に突出している。第４突起２７０は、検知ギヤ２００とともに回転可能である。つまり、検知ギヤ２００は、第４突起２７０を含む。さらに言えば、第４突起２７０は、検知ギヤ２００と一体に形成されている。
【００７５】
第４突起２７０は、第２ギヤカバー３１の係止突起３１Ｃに係合することで検知ギヤ２００の動作後の姿勢を規定する部分である（図１３（ｂ）参照）。
【００７６】
検知ギヤ２００において、第２ギヤ部２２０は、軸方向において、第２リブ２３０と弾性部材２８０の間に位置する。また、第２ギヤ部２２０は、軸方向において、第２リブ２３０と第１突起２６１の間に位置する。
【００７７】
トーションスプリング３７は、コイル部３７Ａと、第１アーム３７Ｂと、第２アーム３７Ｃとを含む。第１アーム３７Ｂは、コイル部３７Ａから延びる。第２アーム３７Ｃは、コイル部３７Ａから延びる。第２アーム３７Ｃは、第２ギヤカバー３１に接触し、引っ掛かる。
【００７８】
トーションスプリング３７は、第２リブ２３０が第１リブ１２０に接触している状態において、第２リブ２３０を第１リブ１２０へ向けて押すように検知ギヤ２００を回転方向に付勢している。具体的には、図９（ａ）に示すように、第２リブ２３０が第１リブ１２０の外周面に接触している状態において、第１アーム３７Ｂは、第１バネ係合部２５１に接触して、検知ギヤ２００を図９（ａ）における反時計回りに付勢する。また、トーションスプリング３７は、この付勢力により、第２リブ２３０が第１リブ１２０から非接触になったときに、検知ギヤ２００を回転させて第２ギヤ部２２０を第１ギヤ部１１０に係合させる。
【００７９】
検知ギヤ２００は、未使用状態において、第２ギヤカバー３１に対して図９（ａ），（ｂ）に示す位置にあり、以下、図９（ａ），（ｂ）における第２アジテータギヤ１００および検知ギヤ２００の位置を初期位置と称する。初期位置は、第１位置の一例である。なお、検知ギヤ２００が初期位置に位置するとき、現像カートリッジ１０は、未使用状態である。図９（ｂ）に示すように、第１突起２６１は、検知ギヤ２００が初期位置の場合、第２ギヤカバー３１の開口３１Ａから露出される。さらに、現像カートリッジ１０がレーザプリンタ１に装着された状態で、検知ギヤ２００が初期位置の場合、第１突起２６１は、先端が、レバー７Ａに接触し、レバー７Ａが、投光部と受光部との間に位置する。これにより、投光部からの光が、レバー７Ａに遮られる。なお、レバー７Ａは、画像形成装置の一部の一例である。
【００８０】
また、弾性部材２８０は、検知ギヤ２００が初期位置の場合、他端部２８２の先端が第２ギヤカバー３１の接触面３１Ｄと接触した状態で、一端部２８１に対して、検知ギヤ２００の回転方向と反対方向に曲がる。具体的には、弾性部材２８０の他端部２８２は、一端部２８１に対して、図９（ｂ）における反時計回りに曲がる。なお、検知ギヤ２００が初期位置にある状態において、第２ギヤカバー３１は、少なくとも弾性部材２８０の一部を覆っている。
【００８１】
第２アジテータギヤ１００は、軸方向に延びる第１軸１４Ｘについて第３位置から第４位置へ、および、第４位置から第５位置へ回転可能である。第３位置は、図９（ａ），（ｂ）に示す初期位置である。第４位置は、図１０（ｂ）に示す、第１ギヤ部１１０が第２ギヤ部２２０に係合し始める位置である。第５位置は、例えば、図１３（ａ），（ｂ）に示す最終位置である。第２アジテータギヤ１００は、第３位置から第４位置に回転する間に、第２リブ２３０は第１リブ１２０に接触した状態にあって検知ギヤ２００は第２アジテータギヤ１００とともに回転しない。そして、第２アジテータギヤ１００が第４位置から第５位置に回転する間に、第２リブ２３０は第１リブ１２０と非接触の状態にあって検知ギヤ２００は第２アジテータギヤ１００とともに回転する。
【００８２】
検知ギヤ２００は、非係合位置から係合位置へ回転可能である。非係合位置は、検知ギヤ２００の第２ギヤ部２２０の複数のギヤ歯２２１のいずれもが、第２アジテータギヤ１００の第１ギヤ部１１０の複数のギヤ歯１１１と係合しない位置である。非係合位置は、例えば、図９（ａ），（ｂ）の初期位置である。係合位置は、複数のギヤ歯２２１の少なくとも１つが、複数のギヤ歯１１１の少なくとも１つと係合する位置である。係合位置は、例えば、図１０（ｂ）に示した位置である。検知ギヤ２００は、第２リブ２３０が第１リブ１２０に接触した状態において非係合位置に位置し、第２リブ２３０が第１リブ１２０と非接触の状態において係合位置に位置する。
【００８３】
検知ギヤ２００は、初期位置から、図１１（ａ），（ｂ）および（ｃ）に示す位置を経由して、図１３（ａ）に示す最終位置に回転し、そして、検知ギヤ２００は停止する。つまり、検知ギヤ２００は、初期位置から最終位置に回転可能である。そして、検知ギヤ２００が最終位置の状態において、トーションスプリング３７は、第３バネ係合部２５３に接触して検知ギヤ２００を図１３（ａ）の反時計回りに付勢する。図１３（ｂ）に示すように、最終位置において、第４突起２７０は、係止突起３１Ｃに接触しており、トーションスプリング３７の付勢力により係止突起３１Ｃに押し付けられる。
【００８４】
検知ギヤ２００が、図１１（ａ）に示す位置である場合、第３突起２６３の先端がレバー７Ａに接触しないが、検知ギヤ２００が、図１１（ｂ）に示す位置である場合、第３突起２６３の先端がレバー７Ａに接触し、レバー７Ａが、投光部と受光部との間に位置する。これにより、投光部からの光が、レバー７Ａに遮られる。検知ギヤ２００が、図１１（ｃ）に示す位置である場合、第３突起２６３の先端がレバー７Ａに接触しない。
【００８５】
検知ギヤ２００が、図１３（ｂ）に示す最終位置にある状態において、弾性部材２８０は、検知ギヤ２００が初期位置にある状態の第１突起２６１と略同じ位置に位置する。より詳細には、弾性部材２８０の他端部２８２は、検知ギヤ２００が最終位置の場合、第２ギヤカバー３１の開口３１Ａから露出される。弾性部材２８０は、検知ギヤ２００が最終位置にある状態において、検知ギヤ２００の径方向にまっすぐ延びる。また、弾性部材２８０は、検知ギヤ２００が最終位置にある状態で、他端部２８２の先端が、検知ギヤ２００の径方向において開口３１Ａから突出する。より詳細には、他端部２８２の先端は、検知ギヤ２００が最終位置にある状態で、検知ギヤ２００の周方向における接触面３１Ｄの延長面３１Ｅから、検知ギヤ２００の径方向外側に突出する。さらに、現像カートリッジ１０がレーザプリンタ１に装着された状態で、検知ギヤ２００が最終位置の場合、弾性部材２８０の他端部２８２は、先端がレバー７Ａに接触し、レバー７Ａが、投光部と受光部との間に位置する。これにより、投光部からの光が、レバー７Ａに遮られる。
【００８６】
また、検知ギヤ２００は、図１１（ａ）または（ｃ）に示す状態において、第１突起２６１、弾性部材２８０および第３突起２６３のいずれの先端も、レバー７Ａに接触せずに、レバー７Ａが、投光部と受光部との間に位置しない。これにより、投光部からの光が、レバー７Ａに遮られず、受光部は、投光部からの光を受信することができる。
【００８７】
上述したように、受光部が光を受信する状態と、受光部が光を受信しない状態とにより得られる検出信号を用いて、レーザプリンタ１は、現像カートリッジ１０の仕様を特定することができる。また、本実施形態では、検知ギヤ２００が初期位置の場合に第１突起２６１の先端がレバー７Ａに接触し、さらに、検知ギヤ２００が最終位置の場合であっても弾性部材２８０の先端がレバー７Ａに接触するため、レーザプリンタ１は、第１突起２６１および弾性部材２８０を用いて、現像カートリッジ１０がレーザプリンタ１に取り付けられているか否かを判定することができる。
【００８８】
図６に戻り、第２軸受部材３４は、第１支持部３４Ａと、第２支持部３４Ｂとを含む。第１支持部３４Ａは、現像ローラシャフト１２Ａを回転可能に支持する。第２支持部３４Ｂは、供給ローラシャフト１３Ａを回転可能に支持する。第２軸受部材３４は、現像ローラシャフト１２Ａおよび供給ローラシャフト１３Ａを支持した状態で、筐体１１の容器１１Ａの第１方向における他方側の外表面１１Ｅに固定されている。
【００８９】
現像電極３５は、第１方向における筐体１１の他方側に位置し、現像ローラシャフト１２Ａに電力を供給する。つまり、現像電極３５は、外表面１１Ｅに位置する。現像電極３５は、例えば、導電性樹脂からなる。現像電極３５は、第１電気接点３５Ａと、第２電気接点３５Ｂと、連結部３５Ｃとを含む。第１電気接点３５Ａは、現像ローラシャフト１２Ａと接触する。連結部３５Ｃは、第１電気接点３５Ａと第２電気接点３５Ｂとを連結し、第１電気接点３５Ａと第２電気接点３５Ｂを電気的に接続する。
【００９０】
第１電気接点３５Ａは、接触穴３５Ｅを有する。現像ローラシャフト１２Ａは、接触穴３５Ｅに挿入される。接触穴３５Ｅは、好ましくは円形の穴である。現像ローラシャフト１２Ａが接触穴３５Ｅに挿入された状態において、第１電気接点３５Ａは現像ローラシャフト１２Ａの一部に接触する。具体的には、現像ローラシャフト１２Ａが接触穴３５Ｅに挿入された状態において、第１電気接点３５Ａは、現像ローラシャフト１２Ａの外周面に接触する。現像電極３５の第２電気接点３５Ｂは、第２方向および第３方向に延びる現像接触面３５Ｄを含む。
【００９１】
供給電極３６は、第１方向における筐体１１の他方側に位置し、供給ローラシャフト１３Ａに電力を供給する。つまり、供給電極３６は、外表面１１Ｅに位置する。供給電極３６は、例えば、導電性樹脂からなる。供給電極３６は、第１電気接点３６Ａと、第２電気接点３６Ｂと、連結部３６Ｃとを含む。第１電気接点３６Ａは、供給ローラシャフト１３Ａと接触する。連結部３６Ｃは、第１電気接点３６Ａと第２電気接点３６Ｂとを連結し、第１電気接点３６Ａと第２電気接点３６Ｂとを電気的に接続する。
【００９２】
第１電気接点３６Ａは、接触穴３６Ｅを有する。供給ローラシャフト１３Ａは、接触穴３６Ｅに挿入される。接触穴３６Ｅは、好ましくは、円形の穴である。供給ローラシャフト１３Ａが接触穴３６Ｅに挿入された状態において、第１電気接点３６Ａは供給ローラシャフト１３Ａの一部に接触する。具体的には、供給ローラシャフト１３Ａが接触穴３６Ｅに挿入された状態において、第１電気接点３６Ａは供給ローラシャフト１３Ａの外周面に接触する。供給電極３６の第２電気接点３６Ｂは、第２方向および第３方向に延びる供給接触面３６Ｄを含む。
【００９３】
現像電極３５および供給電極３６は、第２軸受部材３４とともに、筐体１１の第１方向における他方側の外表面１１Ｅにスクリュー３８により固定されている。
【００９４】
以上のように構成された現像カートリッジ１０の作用および効果について説明する。
図１に示すように、レーザプリンタ１に現像カートリッジ１０を装着するとき、現像ローラ１２を先頭にして第３方向に沿って現像カートリッジ１０が移動される。
【００９５】
また、現像カートリッジ１０が図１のような未使用状態、つまり、検知ギヤ２００が初期位置にある状態において、第１突起２６１の先端は、第２ギヤカバー３１の開口３１Ａから露出している。このため、第１突起２６１の先端は、レバー７Ａに接触してレバー７Ａを揺動させる。上述したように、光センサ７Ｂがレバー７Ａの変位を検知すると、制御装置ＣＵは、現像カートリッジ１０が装着されていることを判定することができる。なお、検知ギヤ２００が初期位置にあるときは、弾性部材２８０は、開口３１Ａから露出していないので、レバー７Ａには接触しない。
【００９６】
また、図９（ａ）に示すように、検知ギヤ２００は、初期位置において、トーションスプリング３７により回転方向に付勢されているが、第２リブ２３０の先端が第２アジテータギヤ１００の第１リブ１２０に接触して止められているので、検知ギヤ２００は回転することができない。また、第２アジテータギヤ１００の第１ギヤ部１１０は、検知ギヤ２００の欠歯部２２１Ｂに向かい合っている。
【００９７】
レーザプリンタ１が、制御装置ＣＵの指令に従って駆動を開始すると、図４に示すように、カップリング２２が回転し、アイドルギヤ２６を介して第１アジテータギヤ２５が回転する。すると、アジテータ１４を介して第１方向の他方側の第２アジテータギヤ１００が回転する。
【００９８】
図９（ａ），（ｂ）に示すように、第２アジテータギヤ１００が矢印方向に回転すると、第２アジテータギヤ１００の第１ギヤ部１１０は、検知ギヤ２００の欠歯部２２１Ｂに向かい合うので、第２アジテータギヤ１００から検知ギヤ２００に回転力は伝わらない。つまり、検知ギヤ２００は、非係合位置にある。第２アジテータギヤ１００が回転すると、第２リブ２３０の先端は、第１リブ１２０の外周面上を摺動する。
【００９９】
第２アジテータギヤ１００が回転すると、図１０（ａ）に示すように第１リブ１２０の切れ目１２５が第２リブ２３０の先端に近づく。図１０（ｂ）に示すように、第１リブ１２０の切れ目１２５が第２リブ２３０に向かい合うと、トーションスプリング３７の付勢力により検知ギヤ２００が回転し、第２リブ２３０の先端が第１リブ１２０の切れ目１２５に入り込む。第２ギヤ部２２０のギヤ歯２２１は、第１ギヤ部１１０のギヤ歯１１１と係合する。すなわち、第２アジテータギヤ１００が第４位置となり、検知ギヤ２００が係合位置になる。
【０１００】
第１ギヤ部１１０と第２ギヤ部２２０が係合すると、第２アジテータギヤ１００の回転力が検知ギヤ２００に伝わることで検知ギヤ２００が、第２アジテータギヤ１００とともに回転する。
【０１０１】
検知ギヤ２００が回転すると、図１１（ａ）に示すように、レバー７Ａは、第１突起２６１と第３突起２６３の間に位置する。つまり、第１突起２６１、弾性部材２８０および第３突起２６３のいずれも、レバー７Ａに接触しない。これにより、レバー７Ａが、光センサ７Ｂの投光部と受光部との間に位置せず、光センサ７Ｂが受信する信号が変わる。
【０１０２】
検知ギヤ２００がさらに回転すると、図１１（ｂ）に示すように、第３突起２６３が開口３１Ａから露出してレバー７Ａに接触する。これにより、レバー７Ａが、光センサ７Ｂの投光部と受光部との間に位置し、光センサ７Ｂが受信する信号が変わる。
【０１０３】
検知ギヤ２００がさらに回転すると、図１１（ｃ）に示すように、レバー７Ａは、第３突起２６３と弾性部材２８０の間に位置する。つまり、第１突起２６１、弾性部材２８０および第３突起２６３のいずれも、レバー７Ａに接触しない。これにより、レバー７Ａが、光センサ７Ｂの投光部と受光部との間に位置せず、光センサ７Ｂが受信する信号が変わる。
【０１０４】
検知ギヤ２００がさらに回転すると、検知ギヤ２００は、図１２（ａ），（ｂ）に示す位置になる。検知ギヤ２００が図１２（ａ），（ｂ）に示す位置の場合、弾性部材２８０の他端部２８２の先端と、第２ギヤカバー３１の接触面３１Ｄとの接触が解除される。すると、弾性部材２８０、その弾性力により、他端部２８２の先端が、検知ギヤ２００の回転方向に移動する。より詳細には、弾性部材２８０は、弾性的復元力により、他端部２８２が一端部２８１に対して反時計回りに曲がった状態から、検知ギヤ２００の径方向にまっすぐ延びる状態に戻る。図１２（ａ），（ｂ）に示す位置において、弾性部材２８０は、開口３１Ａから露出してレバー７Ａに接触する。これにより、レバー７Ａが、光センサ７Ｂの投光部と受光部との間に位置し、光センサ７Ｂが受信する信号が変わる。
【０１０５】
弾性部材２８０は、曲がった状態からまっすぐ延びる状態に戻るときの他端部２８２の先端の第２軸２００Ｘまわりの角速度が、図１１（ａ）〜（ｃ）に示した検知ギヤ２００の回転に伴う第１突起２６１および第３突起２６３の角速度よりも速い。他の言い方をすれば、曲がった状態からまっすぐ延びる状態に戻る弾性部材２８０がレバー７Ａに接触したときにレバー７Ａを動かす速度は、図１１（ｂ）に示すように、検知ギヤ２００の回転に伴って第３突起２６３がレバー７Ａに接触したときにレバー７Ａを動かす速度よりも速い。なお、図１２（ａ），（ｂ）に示した位置は、第２位置の一例である。つまり、検知ギヤ２００は、初期位置から図１２（ａ），（ｂ）に示した第２位置へ回転可能である。
【０１０６】
弾性部材２８０がレバー７Ａに接触した直後、検知ギヤ２００は、第２ギヤ部２２０のギヤ歯２２１が第２アジテータギヤ１００の第１ギヤ部１１０のギヤ歯１１１から離れて第２ギヤ部２２０と第１ギヤ部１１０の係合が外れる。これにより、第２アジテータギヤ１００の回転力は検知ギヤ２００に伝わらなくなる。しかし、このときトーションスプリング３７の第１アーム３７Ｂが検知ギヤ２００の第３バネ係合部２５３と接触して検知ギヤ２００に回転力を与える。このため、検知ギヤ２００が図１２（ａ）の反時計回りにさらに回転し、検知ギヤ２００が、図１３（ａ），（ｂ）に示す最終位置となる。
【０１０７】
図１３（ａ）に示すように、検知ギヤ２００が最終位置にあると、第２アジテータギヤ１００の第１ギヤ部１１０のギヤ歯１１１は、検知ギヤ２００の欠歯部２２１Ｂと向かい合い、複数のギヤ歯２２１のいずれの歯とも噛み合わない。そして、トーションスプリング３７と係止突起３１Ｃと第４突起２７０とにより検知ギヤ２００の向きは保持されるので、以後、第２アジテータギヤ１００が回転しても検知ギヤ２００は回転しない。
【０１０８】
以上の動作の過程において、検知ギヤ２００が回転し始めたあと、光センサ７Ｂの出力は４回切り替わる。この出力の切り替わりのパターン（オフ信号またはオン信号の長さまたは切り替わり回数または切り替わりタイミングの違い）は、検知ギヤ２００とともに回転する突起の数や回転方向の大きさ、弾性部材の数などにより変えることができる。この信号のパターンと、現像カートリッジ１０の仕様とをあらかじめ対応させておくことにより、制御装置ＣＵは、現像カートリッジ１０の仕様を判別することが可能である。
【０１０９】
使用済み状態の現像カートリッジ１０をレーザプリンタ１の本体筐体２に装着する場合、検知ギヤ２００は最終位置にある。この場合においても、弾性部材２８０は、前記した未使用状態の第１突起２６１と略同じ位置にある。このため、使用済みの現像カートリッジ１０を本体筐体２に装着すると、弾性部材２８０の先端がレバー７Ａと接触するので、制御装置ＣＵは、現像カートリッジ１０が装着されていることを判定することができる。なお、検知ギヤ２００が最終位置にあるときは、第１突起２６１は、開口３１Ａから一部露出しているかもしれないが、弾性部材２８０から離れているので、レバー７Ａには接触しない。
【０１１０】
以上説明した現像カートリッジ１０によれば、現像カートリッジ１０の仕様を特定するための新たなギヤ構造を有する現像カートリッジ１０を提供することができる。より詳細には、検知ギヤ２００が初期位置から図１２（ｂ）に示した第２位置へ回転したときには、検知ギヤ２００の回転方向の反対方向に曲がっていた弾性部材２８０の他端部２８２が、撓みを回復させ、検知ギヤ２００の回転方向に移動する。このため、現像カートリッジ１０の仕様を特定するためのギヤ構造にギヤの回転とは異なる動きを持たせることができる。これにより、現像カートリッジ１０の仕様の多様化に対応させて、ギヤ構造の動きの多様化が可能になる。
【０１１１】
検知ギヤ２００が非係合位置から係合位置へ回転するまでは、検知ギヤ２００が回転しない。これにより、ギヤ構造の動きの多様化が可能になる。
【０１１２】
第２アジテータギヤ１００は、検知ギヤ２００の第２リブ２３０が第２アジテータギヤ１００の第１リブ１２０に接触している間は、第２アジテータギヤ１００が回転しても検知ギヤ２００は回転しない。そして、第２アジテータギヤ１００が第３位置から第４位置へ回転した後は、第２リブ２３０が第１リブ１２０と非接触になり、検知ギヤ２００が第２アジテータギヤ１００とともに回転する。このため、第２アジテータギヤ１００を回転させ始めてから所定期間経った後で検知ギヤ２００を回転させ始めることができるので、検知ギヤ２００の動きの多様化が可能になる。
【０１１３】
以上、本開示の実施形態について説明したが、本開示は前記実施形態に限定されるものではない。具体的な構成については、本開示の趣旨を逸脱しない範囲で適宜変更が可能である。
【０１１４】
上述の実施形態では、第１突起２６１、弾性部材２８０および第３突起２６３は、検知ギヤ２００と共に回転可能であったが、第１突起２６１、弾性部材２８０および第３突起２６３は、検知ギヤと共に回転可能なものに限られない。例えば、各突起は、検知ギヤと別体の突起であってもよい。この場合、検知ギヤはカムを有してもよい。具体的には、検知ギヤは、カップリングの回転とともに移動して、カムと突起とが接触する状態またはカムと突起とが非接触な状態とを推移することで、突起が移動してもよい。例えば、突起が直線的に移動する構成であってもよい。なお、突起は、レバー７Ａを動かすことができるのであればよい。
【０１１５】
上述の実施形態では、検知ギヤ２００が初期位置の場合、第１突起２６１が、第２ギヤカバー３１の開口３１Ａから露出され、レバー７Ａに接触していたが、弾性部材２８０の他端部２８２が、開口３１Ａから露出され、レバー７Ａに接触していてもよい。この場合、弾性部材２８０は、検知ギヤ２００が初期位置から最終位置へ回転する間に、接触面３１Ｄと接触し、他端部２８２が、一端部２８１に対して、検知ギヤ２００の回転方向と反対方向に曲がる。そして、弾性部材２８０は、検知ギヤ２００が第２位置の場合に、他端部２８２と接触面３１Ｄとの接触が解除され、他端部２８２が、検知ギヤ２００の回転方向に移動する構成としてもよい。また、検知ギヤ２００が最終位置の場合、弾性部材２８０の代わりに突起などが、第２ギヤカバー３１の開口３１Ａから露出され、レバー７Ａに接触していてもよい。
【０１１６】
上述の実施形態では、検知ギヤ２００が、複数のギヤ歯２２１を備えていたが、図１４（ａ），（ｂ）に示すように、検知ギヤ２００は、ギヤ歯２２１の代わりに、摩擦部材２９０を備えていてもよい。摩擦部材２９０は、検知ギヤ２００の周囲に設けられている。より詳細には、摩擦部材２９０は、第２アジテータギヤ１００の複数のギヤ歯１１１と係合可能な係合部２９１と、複数のギヤ歯１１１と係合しない非係合部２９１Ｂとを含む。係合部２９１は、非係合部２９１Ｂよりも、検知ギヤ２００の径方向において第２軸２００Ｘから遠い。摩擦部材２９０は、例えば、ゴムである。
【０１１７】
検知ギヤ２００は、図１４（ａ）に示す非係合位置から図１４（ｂ）に示す係合位置へ回転可能である。非係合位置は、摩擦部材２９０の係合部２９１が第２アジテータギヤ１００の複数のギヤ歯１１１と係合しない位置である。また、係合位置は、係合部２９１が複数のギヤ歯１１１の少なくとも１つと係合する位置である。検知ギヤ２００は、係合位置にある状態において、第２アジテータギヤ１００が回転すると、ギヤ歯１１１と摩擦部材２９０の摩擦力によって第２アジテータギヤ１００とともに回転する。これによれば、検知ギヤ２００が非係合位置から係合位置へ回転するまでは、検知ギヤ２００が回転しない構成を実現できる。これにより、ギヤ構造の動きの多様化が可能になる。なお、第２アジテータギヤ１００も、ギヤ歯１１１の代わりに、摩擦部材を備えていてもよい。
【０１１８】
上述の実施形態では、弾性部材２８０の他端部２８２が、検知ギヤ２００の径方向において第１突起２６１の先端よりも第２軸２００Ｘから遠い構成であったが、略同じ構成であってもよい。つまり、弾性部材２８０は、他端部２８２の先端が、検知ギヤ２００の径方向において開口３１Ａから突出しない構成であってもよい。
【０１１９】
上述の実施形態では、弾性部材２８０は、検知ギヤ２００と一体に形成されていたが、検知ギヤ２００とは別部品であってもよい。この場合、例えば、弾性部材２８０の一端部２８１を検知ギヤ２００の筒部２１５に組み付けることで、弾性部材２８０を検知ギヤ２００に設けることができる。また、上述の実施形態では、弾性部材２８０は、一端部２８１が検知ギヤ２００に固定されていたが、弾性部材２８０の一端部２８１は、検知ギヤ２００に対して動けるように、多少の遊びを有していてもよい。また、弾性部材は、ゴムに限らず、例えば、線バネなどであってもよい。また、弾性部材は、複数の部品からなる構成であってもよい。例えば、弾性部材は、弾性を有するバネなどの部材と、レバー７Ａに接触する部材とを含む。つまり、弾性部材は、弾性を有する部材が、レバー７Ａと直接は接触しない構成であってもよい。
【０１２０】
上述の実施形態では、シャフトは、アジテータシャフト１４Ａであったが、シャフトは、アジテータシャフト１４Ａの代わりに、第１方向における筐体１１の一方側から他方側へ駆動力を伝達するためだけのシャフトであってもよい。
【０１２１】
上述の実施形態では、第１ギヤが、第２アジテータギヤ１００であったが、第１ギヤは、第２アジテータギヤ１００とは、別部品であってもよい。つまり、第１ギヤは、アジテータシャフト１４Ａに装着されるギヤとは、別のギヤであってもよい。また、カップリング、第１ギヤおよび第２ギヤは、第１方向における筐体の同じ側に位置していてもよい。
【０１２２】
上述の実施形態では、第１位置として初期位置を例示したが、第１位置は、初期位置以外の位置であってもよい。例えば、第１位置は、図１０（ｂ）に示した位置などであってもよい。また、第２位置として図１２（ａ），（ｂ）の位置を例示したが、第２位置は、これ以外の位置であってもよい。例えば、第２位置は、最終位置などであってもよい。
【０１２３】
上述の実施形態においては、現像カートリッジ１０は、感光体カートリッジ５と別体に構成されていたが、一体に構成されていても構わない。
【０１２４】
上述の実施形態においては、画像形成装置の一例としてモノクロのレーザプリンタ１を例示したが、画像形成装置はカラーの画像形成装置であってもよいし、ＬＥＤにより露光するものであってもよいし、コピー機や複合機であってもよい。
【０１２５】
前記した各実施形態および各変形例の各要素は、任意に組み合わせて実施することが可能である。
【符号の説明】
【０１２６】
１      レーザプリンタ
７Ａ    レバー
１０    現像カートリッジ
１１    筐体
１１Ｅ  外表面
１２    現像ローラ
１２Ｘ  第４軸
１４    アジテータ
１４Ａ  アジテータシャフト
１４Ｘ  第１軸
２２    カップリング
２２Ａ  第３軸
３１    第２ギヤカバー
３１Ａ  開口
１００  第２アジテータギヤ
２００  検知ギヤ
２００Ｘ  第２軸
２２０  第２ギヤ部
２２０Ａ  歯先円
２２１  ギヤ歯
２６１  第１突起
２８０  弾性部材
２８１  一端部
２８２  他端部
Ｔ      トナー
【図１】
2018169533.tif 000003
【図２】
2018169533.tif 000004
【図３】
2018169533.tif 000005
【図４】
2018169533.tif 000006
【図５】
2018169533.tif 000007
【図６】
2018169533.tif 000008
【図７】
2018169533.tif 000009
【図８】
2018169533.tif 000010
【図９】
2018169533.tif 000011
【図１０】
2018169533.tif 000012
【図１１】
2018169533.tif 000013
【図１２】
2018169533.tif 000014
【図１３】
2018169533.tif 000015
【図１４】
2018169533.tif 000016